(57)【要約】【課題】製造コストを低減することができ、ろう付前の組立時に端部材と連通部材との位置ずれを防止できる熱交換器を提供する。【解決手段】熱交換器の冷媒ターン用ヘッダタンク３は、前後に並んだ２つの中間ヘッダ部を有する。各中間ヘッダ部が、中間ヘッダ部本体と中間ヘッダ部本体の両端開口を閉鎖するキャップとよりなる。第１中間ヘッダ部の右側キャップに冷媒流出口を形成し、第２中間ヘッダ部の右側キャップに冷媒流入口を形成する。両キャップを連結部を介して連結一体化して右端部材85を構成する。内部が冷媒流出口および冷媒流入口に通じる連通路108となった外方膨出部107を有する連通部材86により、両中間ヘッダ部内を相互に通じさせる。右端部材85と連通部材86とを、全周縁部のうちの一部分に設けられた連結部109を介して連結一体化する。【選択図】図９
2008309352.tif 000002
【特許請求の範囲】
【請求項１】
互いに間隔をおいて配置された２つのヘッダタンクと、両ヘッダタンク間に設けられた熱交換コア部とを備え、第１のヘッダタンクに、冷媒入口を有する冷媒入口ヘッダ部と、冷媒出口を有する冷媒出口ヘッダ部とが前後に並んで設けられ、第２のヘッダタンクに、冷媒入口ヘッダ部と対向する第１中間ヘッダ部と、冷媒出口ヘッダ部に対向する第２中間ヘッダ部とが前後に並んで設けられ、熱交換コア部に、両ヘッダタンクの長さ方向に間隔おいて配置された複数の熱交換管からなる熱交換管群が前後方向に並んで複数列設けられ、冷媒入口ヘッダ部と第１中間ヘッダ部との間、および冷媒出口ヘッダ部と第２中間ヘッダ部との間にそれぞれ少なくとも１つの熱交換管群が配置され、第２ヘッダタンクの各中間ヘッダ部が、両端が開口した中間ヘッダ部本体と、中間ヘッダ部本体の両端開口を閉鎖するキャップとよりなり、第１中間ヘッダ部の一端部のキャップに冷媒流出口が形成されるとともに、第２中間ヘッダ部における冷媒流出口が形成された側と同一端部のキャップに冷媒流入口が形成され、冷媒流出口が形成されたキャップと冷媒流入口が形成されたキャップとが連結部を介して連結一体化されて端部材が構成され、冷媒流出口および冷媒流入口に通じる連通路を有する連通部材が、両中間ヘッダ部に跨るように端部材に接合され、両中間ヘッダ部内が連通部材により相互に通じさせられている熱交換器であって、端部材と連通部材とが、全周縁部のうちの一部分に設けられた連結部を介して連結一体化されている熱交換器。
【請求項２】
端部材の周縁部に全周にわたる平板状部が形成されるとともに、連通部材に内部が連通路となった外方膨出部が形成されており、端部材の平板状部の上縁部または下縁部の前後方向の中央部と、連通部材の外方膨出部の周壁部とが連結部を介して連結一体化され、端部材と連通部材とが、金属素板にプレス加工を施すことにより形成され、かつ連通部材の外方膨出部が、端部材の平板状部の片面が位置する面内において当該平板状部の片面と同方向に開口しているプレス加工品を、連結部において外方膨出部の開口が端部材により閉鎖されるように折り曲げることにより組み合わされている請求項１記載の熱交換器。
【請求項３】
連通部材の外方膨出部の周壁部の開口周縁部における連結部に連なった部分を除いた部分に、外向きフランジ状の平板状部が形成されており、当該平板状部が端部材の平板状部に接合されている請求項２記載の熱交換器。
【請求項４】
端部材の平板状部と連通部材の外方膨出部の周壁とが、前後方向の中央部において連結部を介して連結一体化されている請求項２または３記載の熱交換器。
【請求項５】
端部材の周縁部に全周にわたる平板状部が形成され、連通部材に、内部が連通路となった外方膨出部が形成されるとともに、外方膨出部の周壁部の開口周縁部に全周にわたる外向きフランジ状の平板状部が形成されており、両部材の平板状部どうしが連結部を介して連結一体化され、端部材と連通部材とが、金属素板にプレス加工を施すことにより形成され、かつ両部材の平板状部が同一面内に位置するプレス加工品を、連結部において外方膨出部の開口が端部材により閉鎖されるように折り曲げることにより組み合わされている請求項１記載の熱交換器。
【請求項６】
端部材および連通部材の平板状部どうしが、前後方向の中央部において連結部を介して連結一体化され、両部材の平板状部どうしが接合されている請求項５記載の熱交換器。
【請求項７】
連結部の外面に折り曲げ溝が形成されている請求項２〜６のうちのいずれかに記載の熱交換器。
【請求項８】
請求項２記載の熱交換器を製造する方法であって、
周縁部に平板状部が形成された端部材と、内部が連通路となった外方膨出部が形成された連通部材とが、連通部材の外方膨出部が、端部材の平板状部の片面が位置する面内において当該平板状部の片面と同方向に開口するように、端部材の平板状部と連通部材の外方膨出部の周壁部とが連結部を介して連結一体化されているプレス加工品を、連結部において外方膨出部の開口が端部材により閉鎖されるように折り曲げることを含む熱交換器の製造方法。
【請求項９】
請求項５記載の熱交換器を製造する方法であって、
周縁部に平板状部が形成された端部材と、内部が連通路となった外方膨出部が形成されるとともに、外方膨出部の周壁部の開口周縁部に全周にわたる外向きフランジ状の平板状部が形成された連通部材とが、両部材の平板状部が同一面内に位置するように、端部材の平板状部と連通部材の平板状部とが連結部を介して連結一体化されたプレス加工品を、連結部において外方膨出部の開口が端部材により閉鎖されるように折り曲げることを含む熱交換器の製造方法。
【請求項１０】
連結部における折り曲げ方向内側とは反対側の面に折り曲げ溝を形成しておく請求項８または９記載の熱交換器の製造方法。
【発明の詳細な説明】
【技術分野】
【０００１】
この発明は、たとえば自動車に搭載される冷凍サイクルであるカーエアコンのエバポレータに好適に使用される熱交換器に関する。
【０００２】
この明細書および特許請求の範囲において、隣接する熱交換管どうしの間の通風間隙を流れる空気の下流側（図１に矢印Ｘで示す方向）を前、これと反対側を後というものとする。
【背景技術】
【０００３】
小型軽量化および高性能化を満たしたカーエアコン用エバポレータに用いられる熱交換器として、本出願人は、先に、上下方向に間隔をおいて配置された２つのヘッダタンクと、両ヘッダタンク間に設けられた熱交換コア部とを備え、上側のヘッダタンクに、冷媒入口を有する冷媒入口ヘッダ部と、冷媒出口を有する冷媒出口ヘッダ部とが前後に並んで設けられ、下側のヘッダタンクに、冷媒入口ヘッダ部と対向する第１中間ヘッダ部と、冷媒出口ヘッダ部に対向する第２中間ヘッダ部とが前後に並んで一体に設けられ、熱交換コア部に、両ヘッダタンクの長さ方向に間隔おいて配置された複数の熱交換管からなる熱交換管群が前後方向に並んで複数列設けられ、冷媒入口ヘッダ部と第１中間ヘッダ部との間、および冷媒出口ヘッダ部と第２中間ヘッダ部との間にそれぞれ少なくとも１つの熱交換管群が配置され、下側ヘッダタンクの両中間ヘッダ部が、それぞれ両端が開口した中間ヘッダ部本体と、中間ヘッダ部本体に接合されて中間ヘッダ部本体の両端開口を閉鎖するキャップとよりなり、第１中間ヘッダ部の一端部のキャップに冷媒流出口が形成されるとともに、第２中間ヘッダ部における冷媒流出口が形成された側と同一端部のキャップに冷媒流入口が形成され、冷媒流出口が形成されたキャップと冷媒流入口が形成されたキャップとが連結部を介して連結一体化されて端部材が構成され、端部材とは別個に形成され、かつ冷媒流出口および冷媒流入口に通じる連通路を有する連通部材が、両中間ヘッダ部に跨るように端部材に接合され、両中間ヘッダ部内が連通部材により相互に通じさせられており、全部品が組み立てられて仮止めされた状態で一括ろう付された熱交換器を提案した（特許文献１参照）。
【０００４】
しかしながら、特許文献１記載の熱交換器においては、端部材と連通部材とが別個に形成されているので、両部材をプレス加工により形成するために、２種類の金型が必要となり、製造コストが高くなる。また、端部材と連通部材とは、ろう付前の組立時には、両部材を組み合わせた後、連通部材の上縁部に設けられた係合爪を下方にかしめるとともに、下縁部に設けられた係合爪を上方にかしめることにより仮止めされた状態で、下側ヘッダタンクを構成する部材に取り付けられるようになっているので、上下の係合爪をかしめる際に加わる力がアンバランスになった場合、両部材が位置ずれするおそれがある。
【特許文献１】特開２００６−１７０５９８号公報
【発明の開示】
【発明が解決しようとする課題】
【０００５】
この発明の目的は、上記問題を解決し、製造コストを低減することができるとともに、ろう付前の組立時に端部材と連通部材との位置ずれを防止できる熱交換器を提供することにある。
【課題を解決するための手段】
【０００６】
本発明は、上記目的を達成するために以下の態様からなる。
【０００７】
1)互いに間隔をおいて配置された２つのヘッダタンクと、両ヘッダタンク間に設けられた熱交換コア部とを備え、第１のヘッダタンクに、冷媒入口を有する冷媒入口ヘッダ部と、冷媒出口を有する冷媒出口ヘッダ部とが前後に並んで設けられ、第２のヘッダタンクに、冷媒入口ヘッダ部と対向する第１中間ヘッダ部と、冷媒出口ヘッダ部に対向する第２中間ヘッダ部とが前後に並んで設けられ、熱交換コア部に、両ヘッダタンクの長さ方向に間隔おいて配置された複数の熱交換管からなる熱交換管群が前後方向に並んで複数列設けられ、冷媒入口ヘッダ部と第１中間ヘッダ部との間、および冷媒出口ヘッダ部と第２中間ヘッダ部との間にそれぞれ少なくとも１つの熱交換管群が配置され、第２ヘッダタンクの各中間ヘッダ部が、両端が開口した中間ヘッダ部本体と、中間ヘッダ部本体の両端開口を閉鎖するキャップとよりなり、第１中間ヘッダ部の一端部のキャップに冷媒流出口が形成されるとともに、第２中間ヘッダ部における冷媒流出口が形成された側と同一端部のキャップに冷媒流入口が形成され、冷媒流出口が形成されたキャップと冷媒流入口が形成されたキャップとが連結部を介して連結一体化されて端部材が構成され、冷媒流出口および冷媒流入口に通じる連通路を有する連通部材が、両中間ヘッダ部に跨るように端部材に接合され、両中間ヘッダ部内が連通部材により相互に通じさせられている熱交換器であって、端部材と連通部材とが、全周縁部のうちの一部分に設けられた連結部を介して連結一体化されている熱交換器。
【０００８】
2)端部材の周縁部に全周にわたる平板状部が形成されるとともに、連通部材に内部が連通路となった外方膨出部が形成されており、端部材の平板状部の上縁部または下縁部の前後方向の中央部と、連通部材の外方膨出部の周壁部とが連結部を介して連結一体化され、端部材と連通部材とが、金属素板にプレス加工を施すことにより形成され、かつ連通部材の外方膨出部が、端部材の平板状部の片面が位置する面内において当該平板状部の片面と同方向に開口しているプレス加工品を、連結部において外方膨出部の開口が端部材により閉鎖されるように折り曲げることにより組み合わされている上記1)記載の熱交換器。
【０００９】
3)連通部材の外方膨出部の周壁部の開口周縁部における連結部に連なった部分を除いた部分に、外向きフランジ状の平板状部が形成されており、当該平板状部が端部材の平板状部に接合されている上記2)記載の熱交換器。
【００１０】
4)端部材の平板状部と連通部材の外方膨出部の周壁とが、前後方向の中央部において連結部を介して連結一体化されている上記2)または3)記載の熱交換器。
【００１１】
5)端部材の周縁部に全周にわたる平板状部が形成され、連通部材に、内部が連通路となった外方膨出部が形成されるとともに、外方膨出部の周壁部の開口周縁部に全周にわたる外向きフランジ状の平板状部が形成されており、両部材の平板状部どうしが連結部を介して連結一体化され、端部材と連通部材とが、金属素板にプレス加工を施すことにより形成され、かつ両部材の平板状部が同一面内に位置するプレス加工品を、連結部において外方膨出部の開口が端部材により閉鎖されるように折り曲げることにより組み合わされている上記1)記載の熱交換器。
【００１２】
6)端部材および連通部材の平板状部どうしが、前後方向の中央部において連結部を介して連結一体化され、両部材の平板状部どうしが接合されている上記5)記載の熱交換器。
【００１３】
7)連結部の外面に折り曲げ溝が形成されている上記2)〜6)のうちのいずれかに記載の熱交換器。
【００１４】
8)上記2)記載の熱交換器を製造する方法であって、
周縁部に平板状部が形成された端部材と、内部が連通路となった外方膨出部が形成された連通部材とが、連通部材の外方膨出部が、端部材の平板状部の片面が位置する面内において当該平板状部の片面と同方向に開口するように、端部材の平板状部と連通部材の外方膨出部の周壁部とが連結部を介して連結一体化されているプレス加工品を、連結部において外方膨出部の開口が端部材により閉鎖されるように折り曲げることを含む熱交換器の製造方法。
【００１５】
9)上記5)記載の熱交換器を製造する方法であって、
周縁部に平板状部が形成された端部材と、内部が連通路となった外方膨出部が形成されるとともに、外方膨出部の周壁部の開口周縁部に全周にわたる外向きフランジ状の平板状部が形成された連通部材とが、両部材の平板状部が同一面内に位置するように、端部材の平板状部と連通部材の平板状部とが連結部を介して連結一体化されたプレス加工品を、連結部において外方膨出部の開口が端部材により閉鎖されるように折り曲げることを含む熱交換器の製造方法。
【００１６】
10)連結部における折り曲げ方向内側とは反対側の面に折り曲げ溝を形成しておく上記8)または9)記載の熱交換器の製造方法。
【発明の効果】
【００１７】
上記1)〜6)の熱交換器によれば、端部材と連通部材とが全周縁部のうちの一部分に設けられた連結部を介して連結一体化されているので、金属素板にプレス加工を施すことにより形成され、かつ端部材と連通部材とが連結部を介して連結一体化されたプレス加工品を、連結部において折り曲げることにより、端部材と連通部材とを組み合わせることができる。また、前記プレス加工品をプレス加工により成形するための金型は１種類で済み、製造コストを低減することができる。さらに、たとえば連通部材の全周縁部のうち連結部とは反対側の部分に、前記加工品を折り曲げた際に端部材側に突出する係合爪を形成しておけば、ろう付前の組立時には、前記加工品を折り曲げた後係合爪をかしめることにより、両者を開かないように組み合わせることができるので、係合爪をかしめる際にも両部材が位置ずれすることはない。
【００１８】
上記4)の熱交換器によれば、端部材の平板状部と連通部材の外方膨出部の周壁とが、前後方向の中央部において連結部を介して連結一体化されているので、端部材および連通部材の高さを特許文献１記載の熱交換器と同一にした場合、連通部材における外方膨出部内の連通路の通路断面積を、特許文献１記載の熱交換器の連通部材における外方膨出部内の連通路の通路断面積よりも大きくすることができる。したがって、冷媒が、第１中間ヘッダ部内から連通部材における外方膨出部内の連通路を通って第２中間ヘッダ部内に流れる際の通路抵抗が低減され、熱交換性能、たとえばエバポレータとして用いた場合には冷却性能が向上する。
【００１９】
上記7)の熱交換器によれば、前記加工品を、連結部において外方膨出部の開口が端部材により閉鎖されるように折り曲げる際の作業性が一層向上する。
【００２０】
上記8)および9)の熱交換器の製造方法によれば、比較的簡単に端部材と連通部材とを組み合わせることができる。また、前記プレス加工品をプレス加工により成形するための金型は１種類で済み、製造コストを低減することができる。
【００２１】
上記10)の熱交換器の製造方法によれば、前記プレス加工品を、連結部において外方膨出部の開口が端部材により閉鎖されるように折り曲げる際の作業性が向上する。
【発明を実施するための最良の形態】
【００２２】
以下、この発明の実施形態を、図面を参照して説明する。以下に述べる実施形態は、この発明による熱交換器を、フロン系冷媒を使用するカーエアコンのエバポレータに適用したものである。
【００２３】
なお、以下の説明において、図１および図２の上下、左右を上下、左右というものとする。また、以下の説明において、「アルミニウム」という用語には、純アルミニウムの他にアルミニウム合金を含むものとする。さらに、全図面を通じて同一部分および同一物には同一符号を付して重複する説明を省略する。
【００２４】
図１および図２はエバポレータの全体構成を示し、図３〜図９はエバポレータの要部の構成を示す。
【００２５】
図１〜図３に示すように、エバポレータ(1)は、上下方向に間隔をおいて配置されたアルミニウム製冷媒入出用ヘッダタンク(2)とアルミニウム製冷媒ターン用ヘッダタンク(3)との間に熱交換コア部(4)が設けられたものである。
【００２６】
冷媒入出用ヘッダタンク(2)は、前側（通風方向下流側）に位置する冷媒入口ヘッダ部(5)と、後側（通風方向上流側）に位置する冷媒出口ヘッダ部(6)と、両ヘッダ部(5)(6)を相互に連結一体化する連結部(7)とを備えている。冷媒入出用ヘッダタンク(2)の冷媒入口ヘッダ部(5)にアルミニウム製冷媒入口管(8)が接続され、同じく冷媒出口ヘッダ部(6)にアルミニウム製冷媒出口管(9)が接続されている。
【００２７】
冷媒ターン用ヘッダタンク(3)は、前側に位置しかつ冷媒入口ヘッダ部(5)に対向する第１中間ヘッダ部(11)と、後側に位置しかつ冷媒出口ヘッダ部(6)に対向する第２中間ヘッダ部(12)と、両ヘッダ部(11)(12)を相互に連結一体化する連結部(13)とを備えており、両ヘッダ部(11)(12)と連結部(13)とにより排水樋(14)が形成されている。冷媒入出用ヘッダタンク(2)および冷媒ターン用ヘッダタンク(3)の周壁の横断面形状は同一であり、互いに上下逆向きに配置されている。
【００２８】
熱交換コア部(4)は、左右方向に間隔をおいて並列状に配置された複数の熱交換管(15)からなる熱交換管群(16)が、前後方向に並んで複数列、ここでは２列配置され、各熱交換管群(16)の隣接する熱交換管(15)どうしの間の通風間隙、および各熱交換管群(16)の左右両端の熱交換管(15)の外側にそれぞれコルゲートフィン(17)が配置されて熱交換管(15)にろう付され、さらに左右両端のコルゲートフィン(17)の外側にそれぞれアルミニウム製サイドプレート(18)が配置されてコルゲートフィン(17)にろう付されることにより構成されている。そして、前側熱交換管群(16)の熱交換管(15)の上下両端は冷媒入口ヘッダ部(5)および第１中間ヘッダ部(11)に接続されている。後側熱交換管群(16)の熱交換管(15)の上下両端部は冷媒出口ヘッダ部(6)および第２中間ヘッダ部(12)に接続されている。
【００２９】
熱交換管(15)はアルミニウム押出形材で形成されたベア材からなり、幅方向を前後方向に向けて配置されるとともに幅方向に並んだ複数の冷媒通路を有する扁平状である。コルゲートフィン(17)は両面にろう材層を有するアルミニウムブレージングシートを用いて波状に形成されたものであり、波頂部、波底部および波頂部と波底部とを連結する水平状連結部よりなり、連結部に複数のルーバが前後方向に並んで形成されている。コルゲートフィン(17)は、前後の熱交換管群(16)を構成する前後両熱交換管(15)に共有されており、その前後方向の幅は前側熱交換管(15)の前側縁と後側熱交換管(15)の後側縁との間隔とほぼ等しくなっている。そして、コルゲートフィン(17)の波頂部および波底部は、前後の熱交換管にろう付されている。コルゲートフィン(17)の前側縁は前側熱交換管(15)の前側縁よりも若干前方に突出している。なお、１つのコルゲートフィンが前後両熱交換管群(16)に共有される代わりに、両熱交換管群(16)の隣り合う熱交換管(15)どうしの間にそれぞれコルゲートフィンが配置されていてもよい。
【００３０】
なお、熱交換管(15)としては、アルミニウム押出形材製のものに代えて、アルミニウム製電縫管の内部にインナーフィンを挿入することにより複数の冷媒通路を形成したものを用いてもよい。また、両面にろう材層を有するアルミニウムブレージングシートに圧延加工を施すことにより形成され、かつ連結部を介して連なった２つの平坦壁形成部と、各平坦壁形成部における連結部とは反対側の側縁より隆起状に一体成形された側壁形成部と、平坦壁形成部の幅方向に所定間隔をおいて両平坦壁形成部よりそれぞれ隆起状に一体成形された複数の仕切壁形成部とを備えた板を、連結部においてヘアピン状に曲げて側壁形成部どうしを突き合わせて相互にろう付し、仕切壁形成部により仕切壁を形成したものを用いてもよい。この場合、コルゲートフィンはベア材からなるものを用いる。
【００３１】
図２〜図５に示すように、冷媒入出用ヘッダタンク(2)は、両面にろう材層を有するアルミニウムブレージングシートにプレス加工を施すことにより形成されかつすべての熱交換管(15)が接続されたプレート状の第１部材(21)と、アルミニウム押出形材から形成されたベア材よりなりかつ第１部材(21)の上側を覆う第２部材(22)と、両面にろう材層を有するアルミニウムブレージングシートにプレス加工を施すことにより形成されかつ両部材(21)(22)の左右両端にろう付されたアルミニウム製左右両端部材(23)(24)とよりなり、右端部材(24)の外面に、冷媒入口ヘッダ部(5)および冷媒出口ヘッダ部(6)に跨るように、前後方向に長いアルミニウム製のジョイントプレート(25)がろう付されている。ジョイントプレート(25)に、冷媒入口管(8)および冷媒出口管(9)が接続されている。なお、ジョイントプレート(25)は、アルミニウムベア材にプレス加工を施すことにより形成されている。
【００３２】
第１部材(21)は、冷媒入口ヘッダ部(5)の下部を形成する下方膨出状の第１ヘッダ形成部(26)と、冷媒出口ヘッダ部(6)の下部を形成する下方膨出状の第２ヘッダ形成部(27)と、第１ヘッダ形成部(26)の後側縁部と第２ヘッダ形成部(27)の前側縁部とを連結しかつ連結部(7)の下部を形成する連結壁(28)とよりなる。第１ヘッダ形成部(26)は、水平平坦状の底壁(29)と、底壁(29)の前後両側縁部に一体に形成された前後両側壁(31)(32)とからなる。前側壁(31)は、底壁(29)の前縁に連なりかつ上方に向かって前方に傾斜した傾斜部(31a)と、傾斜部(31a)の上縁に連なって上方に伸びた垂直部(31b)とよりなる。後側壁(32)は、底壁(29)の後縁に連なりかつ上方に向かって後方に傾斜している。前側壁(31)の上端は後側壁(32)の上端よりも上方に位置している。第２ヘッダ形成部(27)は、第１ヘッダ形成部(26)とは左右対称形であって、水平平坦状の底壁(33)と、底壁(33)の後側縁部および前側縁部に一体に形成された後側壁(34)および前側壁(35)とからなる。後側壁(34)は、底壁(33)の後縁に連なりかつ上方に向かって後方に傾斜した傾斜部(34a)と、傾斜部(34a)の上縁に連なった垂直部(34b)とよりなる。前側壁(35)は、底壁(33)の前縁に連なりかつ上方に向かって前方に傾斜している。後側壁(34)の上端は前側壁(35)の上端よりも上方に位置している。そして、第１ヘッダ形成部(26)の後側壁(32)上縁と第２ヘッダ形成部(27)の前側壁(35)上縁とが連結壁(28)により一体に連結されている。
【００３３】
第１部材(21)の両ヘッダ形成部(26)(27)に、それぞれ前後方向に長い複数の管挿通穴(36)が、左右方向に間隔をおきかつ左右方向に関して同一位置に来るように形成されている。第１ヘッダ形成部(26)の管挿通穴(36)は前側壁(31)の傾斜部(31a)から後側壁(32)にかけて形成され、第２ヘッダ形成部(27)の管挿通穴(36)は後側壁(34)の傾斜部(34a)から前側壁(35)にかけて形成されている。両ヘッダ形成部(26)(27)の管挿通穴(36)に、熱交換コア部(4)の前後両熱交換管群(16)の熱交換管(15)の上端部が挿入され、第１部材(21)のろう材層を利用して第１部材(21)にろう付されており、これにより前側熱交換管群(16)の熱交換管(15)の上端部が冷媒入口ヘッダ部(5)に、後側熱交換管群(16)の熱交換管(15)の上端部が冷媒出口ヘッダ部(6)にそれぞれ連通状に接続されている。第１部材(21)の連結壁(28)に、左右方向に長い複数の排水用貫通穴(37)が左右方向に間隔をおいて形成されている。また、第１部材(21)の連結壁(28)に、複数の固定用貫通穴(38)が、排水用貫通穴(37)からずれた位置に来るように左右方向に間隔をおいて形成されている。ここでは、排水用貫通穴(37)と固定用貫通穴(38)とが交互に形成されている。
【００３４】
第２部材(22)は、冷媒入口ヘッダ部(5)の上部を形成する上方膨出状の第１ヘッダ形成部(41)と、冷媒出口ヘッダ部(6)の上部を形成する上方膨出状の第２ヘッダ形成部(42)と、第１ヘッダ形成部(41)の後側縁部と第２ヘッダ形成部(42)の前側縁部とを連結しかつ第１部材(21)の連結壁(28)にろう付されて連結部(7)の上部を形成する連結壁(43)とよりなる。第１ヘッダ形成部(41)および第２ヘッダ形成部(42)の横断面形状は、それぞれ下方に開口するとともに、前後方向中央部が上方に突出した横断面略Ｕ字状であり、前後両側壁(41a)(42a)と、前後両側壁(41a)(42a)の上端部どうしを一体に連結しかつ上方に突出した横断面円弧状の頂壁(41b)(42b)とを備えている。第１ヘッダ形成部(41)の前側壁(41a)の下端部内面に、下方に突出しかつ前側熱交換管群(16)の熱交換管(15)の前側縁部上端が当接するストッパ部(44)が、全長にわたって一体に形成されている。第２ヘッダ形成部(42)の後側壁(42a)の下端部内面に、下方に突出しかつ後側熱交換管群(16)の熱交換管(15)の後側縁部上端が当接するストッパ部(45)が、全長にわたって一体に形成されている。
【００３５】
第２部材(22)の第１ヘッダ形成部(41)のストッパ部(44)と後側壁(41a)の下端部とは、冷媒入口ヘッダ部(5)内を上下２つの空間(5a)(5b)に区画する水平な第１分流制御壁(41c)により連結されている。第１分流制御壁(41c)下面の後側縁部には、下方に突出しかつ前側熱交換管群(16)の熱交換管(15)の後側縁部上端が当接するストッパ部(46)が、全長にわたって一体に形成されている。また、第２部材(22)の第２ヘッダ形成部(42)のストッパ部(45)と前側壁(42a)の下端部とは、第１分流制御壁(41c)と同一高さ位置において、冷媒出口ヘッダ部(6)内を上下２つの空間(6a)(6b)に区画する水平な第２分流制御壁(42c)により連結されている。第２分流制御壁(42c)下面の前側縁部には、下方に突出しかつ後側熱交換管群(16)の熱交換管(15)の前側縁部上端が当接するストッパ部(47)が、全長にわたって一体に形成されている。第２部材(22)の４つのストッパ部(44)(45)(46)(47)の下面は同一高さ位置にある。
【００３６】
第２部材(22)の第１分流制御壁(41c)にはその左端から切り欠き(48)が形成されている。また、第１分流制御壁(41c)における切り欠き(48)寄りの部分および右端寄りの部分にはそれぞれ分流調整穴(49)が貫通状に形成されている。第２部材(22)の第２分流制御壁(42b)の後側部分における左右両端部を除いた部分には、左右方向に長い複数の長円形冷媒通過穴(51A)(51B)が左右方向に間隔をおいて貫通状に形成されている。中央部の長円形冷媒貫通穴(51A)の長さは他の長円形冷媒貫通穴(51B)の長さよりも短く、隣り合う熱交換管(15)間に位置している。
【００３７】
第２部材(22)の連結壁(43)における第１部材(21)の排水用貫通穴(37)と合致した位置にそれぞれ左右方向に長い排水用貫通穴(52)が形成され、同じく連結壁(43)下面における第１部材(21)の固定用貫通穴(38)と合致した位置にそれぞれ固定用貫通穴(38)に嵌め入れられた複数の突起(53)が形成されている。第１部材(21)と第２部材(22)とは、突起(53)が固定用貫通穴(38)に挿通させられてかしめられることにより両部材(21)(22)が仮止めされた状態で、第１部材(21)のろう材層を利用して、両部材(21)(22)の第１ヘッダ形成部(26)(41)の前側壁(31)(41a)どうし、第２ヘッダ形成部(27)(42)の後側壁(34)(42a)どうし、および連結壁(28)(43)どうしがそれぞれろう付されている。
【００３８】
そして、第１部材(21)の第１ヘッダ形成部(26)と第２部材(22)の第１ヘッダ形成部(41)とによって、両端が開口した中空状の入口ヘッダ部本体(54)が形成され、第１部材(21)の第２ヘッダ形成部(27)と第２部材(22)の第２ヘッダ形成部(42)とによって、両端が開口した中空状の出口ヘッダ部本体(55)が形成されている。
【００３９】
左端部材(23)は、入口ヘッダ部本体(54)の左端開口を閉鎖する前キャップ(23a)と、出口ヘッダ部本体(55)の左端開口を閉鎖する後キャップ(23b)とが連結部(23c)を介して一体化されたものである。左端部材(23)の前キャップ(23a)には、入口ヘッダ部本体(54)内に嵌め入れられる右方突出部(56)が一体に形成され、同じく後キャップ(23b)には、出口ヘッダ部本体(55)の第２分流制御壁(42b)よりも上側の空間(6a)内に嵌め入れられる上側右方突出部(57)と、第２分流制御壁(42b)よりも下側の空間(6b)内に嵌め入れられる下側右方突出部(58)とが上下に間隔をおいて一体に形成されている。また、左端部材(23)の前後両側縁と上縁および下縁との間の連接部に、それぞれ右方に突出して両部材(21)(22)に係合する係合爪(59)が一体に形成されている。左端部材(23)は、自身のろう材層を利用して両部材(21)(22)にろう付されている。そして、第１分流制御壁(41c)の切り欠き(48)の左端開口が左端部材(23)の前キャップ(23a)により閉じられ、これにより入口ヘッダ部(5)の上下両空間(5a)(5b)を左端部において相互に連通させる連通穴(61)が形成されている。なお、ここでは連通穴(61)は、切り欠き(48)の左端開口を左端部材(23)の前キャップ(23a)により閉じることによって形成されているが、これに代えて、切り欠きを形成せず、第１分流制御壁(41c)の左端部に貫通穴を形成することにより連通穴が設けられていてもよい。
【００４０】
右端部材(24)は、入口ヘッダ部本体(54)の右端開口を閉鎖する前キャップ(24a)と、出口ヘッダ部本体(55)の右端開口を閉鎖する後キャップ(24b)とが連結部(24c)を介して一体化されたものである。右端部材(24)の前キャップ(24a)には、入口ヘッダ部本体(54)の第１流制御壁(41c)よりも上側の空間(5a)内に嵌め入れられる上側左方突出部(62)と、第１分流制御壁(41c)よりも下側の空間(5b)内に嵌め入れられる下側左方突出部(63)とが上下に間隔をおいて一体に形成され、同じく後キャップ(24b)には、出口ヘッダ部本体(55)の第２分流制御壁(42b)よりも上側の空間(6a)内に嵌め入れられる上側左方突出部(64)と、第２分流制御壁(42b)よりも下側の空間(6b)内に嵌め入れられる下側左方突出部(65)とが上下に間隔をおいて一体に形成されている。右端部材(24)の前キャップ(24a)の上側左方突出部(62)の突出端壁に冷媒入口(66)が形成され、同じく後キャップ(24b)の上側左方突出部(64)の突出端壁に冷媒出口(67)が形成されている。右端部材(24)の前後両側縁と上縁との間の連接部、前キャップ(24a)の下縁の前側部分および後キャップ(24b)の下縁の後側部分に、それぞれ左方に突出して両部材(21)(22)に係合する係合爪(68)が一体に形成されている。
【００４１】
また、右端部材(24)の連結部(24c)の上端における前後方向の中央部に上方に突出した第１係合雄部(71)が一体に形成され、同じく連結部(24c)の下端における前後方向の中央部に下方に突出した第２係合雄部(72)が一体に形成されている。第２係合雄部(72)は、エバポレータ(1)を製造するにあたって、右端部材(24)をジョイントプレート(25)に組み合わせる前の状態においては、右側方に突出している。さらに、右端部材(24)の下縁部の前後両端部には、それぞれ切り欠き(80)が形成されている。右端部材(24)は、自身のろう材層を利用して両部材(21)(22)にろう付されている。
【００４２】
ジョイントプレート(25)は、右端部材(24)の冷媒入口(66)に通じる短円筒状冷媒流入口(73)と、同じく冷媒出口(67)に通じる短円筒状冷媒流出口(74)とを備えている。冷媒流入口(73)および冷媒流出口(74)は、それぞれ円形貫通穴と、貫通穴の周囲に右方突出状に一体に形成された短円筒状部とよりなる。
【００４３】
ジョイントプレート(25)における冷媒流入口(73)と冷媒流出口(74)との間の部分には、上下方向に伸びる短絡防止用のスリット(75)が形成されるとともに、スリット(75)の上下両端に連なって略台形状の貫通穴(76)(77)が形成されている。また、ジョイントプレート(25)における上側貫通穴(76)の上方部分および下側貫通穴(77)の下方部分は、それぞれ左方に突出するようにＵ字状に屈曲されて第１および第２係合雌部(78)(79)が形成されている。第１係合雌部(78)には、右端部材(24)の第１係合雄部(71)が下方から挿通させられて第１係合雌部(78)に係合させられているとともに、第２係合雌部(79)には、右端部材(24)の第２係合雄部(72)が上方から挿通させられて第２係合雌部(79)に係合させられており、これによりジョイントプレート(25)の左右方向の移動が阻止されている。右端部材(24)の第２係合雄部(72)は、右側方に突出した状態で下側の貫通穴(77)に通された後下方に曲げられることによって、第２係合雌部(79)に上方から挿通させられることになる。また、第１係合雌部(78)は、右端部材(24)の連結部(24c)における第１係合雄部(71)の前後両側部分に係合しており、これによりジョイントプレート(25)の下方への移動が阻止されている。さらに、ジョイントプレート(25)の下縁の前後両端部には、それぞれ左方に突出した係合爪(81)が一体に形成されているとともに、この係合爪(81)が右端部材(24)の下縁に形成された切り欠き(80)内に嵌った状態で右端部材(24)に係合しており、これによりジョイントプレート(25)の上方および前後方向への移動が阻止されている。このように、ジョイントプレート(25)は、左右方向、上下方向および前後方向の移動が阻止されるように右端部材(24)に係合させられた状態で、右端部材(24)のろう材層を利用して右端部材(24)にろう付されている。
【００４４】
ジョイントプレート(25)の冷媒流入口(73)に、冷媒入口管(8)の一端部に形成された縮径部が差し込まれてろう付され、同じく冷媒流出口(74)に、冷媒出口管(9)の一端部に形成された縮径部が差し込まれてろう付されている。図示は省略したが、冷媒入口管(8)および冷媒出口管(9)の他端部には、両管(8)(9)に跨るように膨張弁取付部材が接合されている。
【００４５】
図２、図３、図６および図７に示すように、冷媒ターン用ヘッダタンク(3)は、両面にろう材層を有するアルミニウムブレージングシートから形成されかつすべての熱交換管(15)が接続されたプレート状の第１部材(82)と、アルミニウム押出形材から形成されたベア材よりなりかつ第１部材(82)の下側を覆う第２部材(83)と、両面にろう材層を有するアルミニウムブレージングシートから形成されかつ両部材(82)(83)の左右両端にろう付されたアルミニウム製左右両端部材(84)(85)と、両面にろう材層を有するアルミニウムブレージングシートから形成され、かつ右端部材(85)の外面に、第１中間ヘッダ部(11)および第２中間ヘッダ部(12)にまたがるようにろう付された前後方向に長い連通部材(86)とよりなり、連通部材(86)を介して第１中間ヘッダ部(11)と第２中間ヘッダ部(12)とが右端部で相互に通じさせられている。
【００４６】
第１部材(82)は、冷媒入出用ヘッダタンク(2)の第１部材(21)と同一形状であって、両部材(21)(82)は上下逆向きに配置されている。冷媒ターン用ヘッダタンク(3)の第１部材(82)において、冷媒入出用ヘッダタンク(2)の第１部材(21)との同一部分には同一符号を付して説明を省略する。ここで、第１ヘッダ形成部(26)は第１中間ヘッダ部(11)の上部を形成し、第２ヘッダ形成部(27)は第２中間ヘッダ部(12)の上部を形成する。また、第１部材(82)の第１ヘッダ形成部(26)の後側壁(32)と第２ヘッダ形成部(27)の前側壁(35)と連結壁(28)とによって、両側面が上方に向かって前後方向外方に傾斜した排水樋(14)が形成されている。
【００４７】
第２部材(83)は、冷媒入出用ヘッダタンク(2)の第２部材(22)とほぼ同一形状であって同一の押出形材から形成されており、両部材(83)(22)は上下逆向きに配置されている。冷媒ターン用ヘッダタンク(3)の第２部材(83)における冷媒入出用ヘッダタンク(2)の第２部材(22)との相違点は、第１分流制御壁(41c)が全体に切除されている点と、第２分流制御壁(42c)の後側部分に、長円形冷媒通過穴(51A)(51B)の代わりに、複数の円形冷媒通過穴(87)が左右方向に間隔をおいて貫通状に形成されており、隣り合う円形冷媒通過穴(87)間の間隔が右端部から遠ざかるにつれて徐々に大きくなっている点である。なお、隣り合う円形冷媒通過穴(87)間の間隔は、すべて等しくなっていてもよい。冷媒ターン用ヘッダタンク(3)の第２部材(83)において、冷媒入出用ヘッダタンク(2)の第２部材(22)との同一部分には同一符号を付して説明を省略する。そして、第２分流制御壁(42b)により、第２中間ヘッダ部(12)内が上下２つの空間(12a)(12b)に区画されている。
【００４８】
第１部材(82)と第２部材(83)とは、冷媒入出用ヘッダタンク(2)の第１部材(21)および第２部材(22)と同様にしてろう付されている。また、第１部材(21)の管挿通穴(36)に熱交換コア部(4)の前後両熱交換管群(16)の熱交換管(15)の下端部が挿入され、前側熱交換管群(16)の熱交換管(15)の前後両側縁部の下端が第１ヘッダ形成部(41)の前側壁(41a)のストッパ部(44)および第１分流制御壁(41c)のストッパ部(46)にそれぞれ当接させられるとともに、後側熱交換管群(16)の熱交換管(15)の前後両側縁部の下端が第２ヘッダ形成部(42)の後側壁(42a)のストッパ部(45)および第２分流制御壁(42c)のストッパ部(47)にそれぞれ当接させられた状態で、第１部材(82)のろう材層を利用して第１部材(82)にろう付されており、これにより前側熱交換管群(16)の熱交換管(15)の下端部が第１中間ヘッダ部(11)に、後側熱交換管群(16)の熱交換管(15)の下端部が第２中間ヘッダ部(12)にそれぞれ連通状に接続されている。
【００４９】
そして、第１部材(82)の第１ヘッダ形成部(26)と第２部材(83)の第１ヘッダ形成部(41)とによって、両端が開口した中空状の第１中間ヘッダ部本体(88)が形成され、第１部材(82)の第２ヘッダ形成部(27)と第２部材(83)の第２ヘッダ形成部(42)とによって、両端が開口した中空状の第２中間ヘッダ部本体(89)が形成されている。
【００５０】
左端部材(84)は、第１中間ヘッダ部本体(88)の左端開口を閉鎖する前キャップ(84a)と、第２中間ヘッダ部本体(89)の左端開口を閉鎖する後キャップ(84b)とが連結部(84c)を介して一体化されたものであり、前キャップ(84a)には、第１中間ヘッダ部本体(88)内に嵌め入れられる右方突出部(91)が一体に形成され、同じく後キャップ(84b)には、第２中間ヘッダ部本体(89)の第２分流制御壁(42c)よりも上側の空間(12a)内に嵌め入れられる上側右方突出部(92)と、第２分流制御壁(42c)よりも下側の空間(12b)内に嵌め入れられる下側右方突出部(93)とが上下に間隔をおいて一体に形成されている。また、左端部材(84)の前後両側縁と上縁および下縁との間の連接部に、それぞれ右方に突出して両部材(82)(83)に係合する係合爪(94)が一体に形成されている。左端部材(84)は、自身のろう材層を利用して両部材(82)(83)にろう付されている。
【００５１】
右端部材(85)は、第１中間ヘッダ部本体(88)の右端開口を閉鎖する前キャップ(85a)と、第２中間ヘッダ部本体(89)の右端開口を閉鎖する後キャップ(85b)とが連結部(85c)を介して一体化されたものであり、前キャップ(85a)には、第１中間ヘッダ部本体(88)内に嵌め入れられる左方突出部(95)が一体に形成され、同じく後キャップ(85b)には、第２中間ヘッダ部本体(89)の第２分流制御壁(42c)よりも上側の空間(12a)内に嵌め入れられる上側左方突出部(96)と、第２分流制御壁(42c)よりも下側の空間(12b)内に嵌め入れられる下側左方突出部(97)とが上下に間隔をおいて一体に形成されている。また、右端部材(85)は、その周縁部に全周にわたる平板状部(99)を有している。なお、連結部(85c)の全体も平板状となっている。平板状部(99)の上縁部における前後方向の中央部には、前キャップ(85a)から後キャップ(85b)に至る略台形状の上方突出部(98)が一体に形成されている。上方突出部(98)の上縁は左右方向にのびる直線状である。
【００５２】
右端部材(85)の平板状部(99)における前後両側縁と上縁および下縁との間の連接部に、それぞれ左方に突出して両部材(82)(83)に係合する係合爪(101)が一体に形成されている。また、右端部材(85)の平板状部(99)における上縁の前後両端部に、それぞれ右方に突出しかつ下方に屈曲させられて連通部材(86)の上縁部に係合させられた係合爪(102)が一体に形成されるとともに、平板状部(99)における下縁の前後方向中央部に、右方に突出しかつ上方に屈曲させられて連通部材(86)の下縁部に係合させられた係合爪(103)が一体に形成されている。
【００５３】
右端部材(85)の前キャップ(85a)の左方突出部(95)の突出端壁に、第１中間ヘッダ部(11)から冷媒を流出させる冷媒流出口(104)が形成され、同じく後キャップ(85b)の下側左方突出部(97)の突出端壁に、第２中間ヘッダ部(12)の第２分流制御壁(42c)よりも下側の空間(12b)内に冷媒を流入させる冷媒流入口(105)が形成されている。また、後キャップ(85b)の下側左方突出部(97)における冷媒流入口(105)の周縁部の下側部分に、第２中間ヘッダ部(12)内方に向かって上方に傾斜または湾曲、ここでは湾曲したガイド部(106)が一体に形成されている。右端部材(85)は、自身のろう材層を利用して両部材(82)(83)にろう付されている。
【００５４】
図８および図９に示すように、連通部材(86)は左右方向外方から見て右端部材(85)と同形同大であり、右端部材(85)の前キャップ(85a)から後キャップ(85b)に至り、かつ内部が冷媒流出口(104)と冷媒流入口(105)とを通じさせる連通路(108)となった外方膨出部(107)（左右方向外方への膨出部）を有している。外方膨出部(107)は、右端部材(85)の平板状部(99)と直角をなす周壁部(107a)と、周壁部(107a)の外端部に横断面円弧状連接部(107b)を介して連なった垂直状の頂壁部(107c)とを有しており、周壁部(107a)の上側部分における前後方向の中央部が最も上方に位置している。最も上方に位置する最高位部を(107d)で示す。そして、周壁部(107a)の最高位部(107d)と、右端部材(85)の平板状部(99)における上方突出部(98)の上縁部における前後両端部を除いた部分とが、連結部(109)を介して連結一体化されている。外方膨出部(107)の周壁部(107a)の最高位部(107d)の外面は、右端部材(85)の平板状部(99)における上方突出部(98)の上縁部に合致するように水平面状となっている。連結部(109)の外面には前後方向にのびる折り曲げ溝(111)が形成されている。また、外方膨出部(107)の周壁部(107a)の開口周縁部における連結部(109)に連なった部分を除いた部分全体に、外向きフランジ状の平板状部(112)が形成されており、平板状部(112)が右端部材(85)の平板状部(99)にろう付されている。平板状部(112)の上縁部の前後両端部および下縁部の前後方向の中央部には、係合爪(102)(103)が嵌る切り欠き(113)が形成されている。連通部材(86)と右端部材(85)とは、両面にろう材層を有するアルミニウムブレージングシートにプレス加工を施すことにより形成された加工品を、連結部(109)において折り曲げ溝(111)に沿って折り曲げて所要部をろう付することによりつくられる。
【００５５】
上述したエバポレータ(1)は、入口管(8)および出口管(9)を除いたすべての部品を組み合わせて仮止めし、仮止めした全部品を一括ろう付されることにより製造される。
【００５６】
エバポレータ(1)を製造するにあたって、右端部材(85)および連通部材(86)は、図１０〜図１２に示す方法により組み合わせられる。
【００５７】
まず、両面にろう材層を有するアルミニウムブレージングシートからなる素板にプレス加工を施すことによって、図１０および図１１に示すようなプレス加工品(114)を成形する。プレス加工品(114)は、前キャップ(85a)、後キャップ(85b)、連結部(85c)、上方突出部(98)を有する平板状部(99)、前キャップ(85a)の冷媒流出口(104)を有する左方突出部(95)、後キャップ(85b)の上側左方突出部(96)、後キャップ(85b)の冷媒流入口(105)とガイド部(106)を有する下側左方突出部(97)、左方突出部(95)(96)(97)と同方向に突出した係合爪(101)、平板状部(99)の上縁部に連なって上方に真っ直ぐに突出した係合爪形成片(102A)、平板状部(99)の下縁部に連なって下方に真っ直ぐに突出した係合爪形成片(103A)を備えた右端部材(85)と、右端部材(85)の左方突出部(95)(96)(97)と同方向に膨出しかつ内部が連通路(108)となるとともに、最高位部(107d)となるべき部分を有する周壁部(107a)、連接部(107b)および頂壁部(107c)を有する外方膨出部(107)、ならびに切り欠き(113)を有する平板状部(112)を備えた連通部材(86)とが、両部材(85)(86)の平板状部(99)(112)が同一平面内に位置するように、外面に折り曲げ溝(111)を有する連結部(109)を介して連結一体化されたものである。なお、プレス加工品(114)において、連通部材(86)の外方膨出部(107)は、両部材(85)(86)の平板状部(99)(112)の互いにろう付される面が向いている側に開口している。
【００５８】
そして、プレス加工品(114)を、連結部(109)において折り曲げ溝(111)に沿って外方膨出部(107)の開口が右端部材(85)により閉鎖されるように折り曲げた後、右端部材(85)の上側の係合爪形成片(102A)を左右方向外方に屈曲させるとともに下方に屈曲させて係合爪(102)を形成して切り欠き(113)内に嵌め入れ、さらに下側の係合爪形成片(103A)を左右方向外方に屈曲させるとともに上方に屈曲させて係合爪(103)を形成して切り欠き(113)内に嵌め入れる。こうして、右端部材(85)と連通部材(86)とが組み合わされる（図１２参照）。
【００５９】
エバポレータ(1)は、コンプレッサおよび冷媒冷却器としてのコンデンサとともに、フロン系冷媒を使用する冷凍サイクルを構成し、カーエアコンとして車両、たとえば自動車に搭載される。
【００６０】
上述したエバポレータ(1)においては、コンプレッサのオン時には、コンプレッサ、コンデンサおよび膨張弁を通過した気液混相の２相冷媒が、冷媒入口管(8)からジョイントプレート(25)の冷媒流入口(73)および右端部材(24)の前キャップ(24a)の冷媒入口(66)を通って冷媒入出用ヘッダタンク(2)の冷媒入口ヘッダ部(5)の上側空間(5a)内に入る。冷媒入口ヘッダ部(5)の上側空間(5a)内に入った冷媒は左方に流れ、連通穴(61)を通って下側空間(5b)内に入るとともに、第１分流制御壁(41c)の分流調整穴(49)を通って下側空間(5b)内に入る。
【００６１】
下側空間(5b)内に入った冷媒は、分流して前側熱交換管群(16)の熱交換管(15)の冷媒通路内に流入する。熱交換管(15)の冷媒通路内に流入した冷媒は、冷媒通路内を下方に流れて冷媒ターン用ヘッダタンク(3)の第１中間ヘッダ部(11)内に入る。第１中間ヘッダ部(11)内に入った冷媒は、第１中間ヘッダ部(11)内を右方に流れ、右端部材(85)の前キャップ(85a)の冷媒流出口(104)、連通部材(86)の外方膨出部(107)内の連通路(108)および後キャップ(85b)の冷媒流入口(105)を通ることにより、流れ方向を変えるようにターンして第２中間ヘッダ部(12)の下側空間(12b)内に入る。
【００６２】
第２中間ヘッダ部(12)の下側空間(12b)内に入った冷媒は左方に流れ、第２分流制御壁(42c)の円形冷媒通過穴(87)を通って上側空間(12a)内に入り、分流して後側熱交換管群(16)の熱交換管(15)の冷媒通路内に流入する。熱交換管(15)の冷媒通路内に流入した冷媒は、流れ方向を変えて冷媒通路内を上方に流れて冷媒出口ヘッダ部(6)の下側空間(6b)内に入り、第２分流制御壁(42c)の冷媒通過穴(51A)(51B)を通って上側空間(6a)内に入る。
【００６３】
冷媒出口ヘッダ部(6)の上側空間(6a)内に入った冷媒は右方に流れ、右端部材(24)の後キャップ(26b)の冷媒出口(67)およびジョイントプレート(25)の冷媒流出口(74)を通り、冷媒出口管(9)に流出する。
【００６４】
そして、冷媒が前後両熱交換管群(16)の熱交換管(15)の冷媒通路を流れる間に、熱交換コア部(4)の通風間隙を通過する空気と熱交換をし、冷媒は気相となって流出する。
【００６５】
図１３および図１４は、冷媒ターン用タンク(3)の第１中間ヘッダ部(11)と第２中間ヘッダ部(12)とを通じさせる連通部材の変形例を示す。
【００６６】
図１３および図１４において、連通部材(120)は左右方向外方から見て右端部材(85)と同形同大であり、右端部材(85)の前キャップ(85a)から後キャップ(85b)に至り、かつ内部が冷媒流出口(104)と冷媒流入口(105)とを通じさせる連通路(108)となった外方膨出部(121)（左右方向外方への膨出部）を有している。外方膨出部(121)は、右端部材(85)の平板状部(99)と直角をなす周壁部(121a)と、周壁部(121a)の外端部に横断面円弧状連接部(121b)を介して連なった垂直状の頂壁部(121c)とを有しており、周壁部(121a)の上側部分における前後方向の中央部が最も上方に突出している。周壁部(121a)の上側部分における前後方向の中央部の外面は、右端部材(85)の台形状上方突出部(98)の下端部近傍の高さ位置にあり、前後方向の中央部が上方に突出した円弧状となっている。また、外方膨出部(121)の周壁部(121a)の開口周縁部に、外向きフランジ状の平板状部(122)が全周にわたって一体に形成されている。平板状部(122)の上縁部における前後方向の中央部には、右端部材(85)の上方突出部(98)に合致した略台形状の上方突出部(123)が一体に形成されている。
【００６７】
そして、右端部材(85)の平板状部(99)における上方突出部(98)の上縁部と、連通部材(120)の平板状部(122)における上方突出部(123)の上縁部とが、連結部(124)を介して連結一体化されている。連結部(124)の外面には、前後方向にのびる折り曲げ溝(125)が形成されている。また、平板状部(122)の上縁部の前後両端部および下縁部の前後方向の中央部には、係合爪(102)(103)が嵌る切り欠き(113)が形成されている。連通部材(120)と右端部材(85)とは、両面にろう材層を有するアルミニウムブレージングシートにプレス加工を施すことにより形成された加工品を、連結部(124)においれ折り曲げ溝(125)に沿って折り曲げて所要部をろう付することによりつくられる。
【００６８】
エバポレータ(1)を製造するにあたって、右端部材(85)および連通部材(120)は、図１５および図１６に示す方法により組み合わせられる。
【００６９】
まず、両面にろう材層を有するアルミニウムブレージングシートからなる素板にプレス加工を施すことによって、図１５に示すようなプレス加工品(126)を成形する。プレス加工品(126)は、前キャップ(85a)、後キャップ(85b)、連結部(85c)、上方突出部(98)を有する平板状部(99)、前キャップ(85a)の冷媒流出口(104)を有する左方突出部(95)、後キャップ(85b)の上側左方突出部(96)、後キャップ(85b)の冷媒流入口(105)とガイド部(106)を有する下側左方突出部(97)、左方突出部(95)(96)(97)と同方向に突出した係合爪(101)、平板状部(99)の上縁部に連なって上方に真っ直ぐに突出した係合爪形成片(102A)、平板状部(99)の下縁部に連なって下方に真っ直ぐに突出した係合爪形成片(103A)を備えた右端部材(85)と、右端部材(85)の左方突出部(95)(96)(97)と同方向に膨出しかつ内部が連通路(108)となるとともに周壁部(121a)、連接部(121b)および頂壁部(121c)を有する外方膨出部(121)、ならびに上方突出部(123)となるべき部分および切り欠き(113)を有する平板状部(122)を備えた連通部材(120)とが、両部材(85)(120)の平板状部(99)(122)が同一平面内に位置するように、折り曲げ溝(125)を有する連結部(124)を介して連結一体化されたものである。なお、プレス加工品(126)において、連通部材(120)の外方膨出部(121)は、両部材(85)(120)の平板状部(99)(122)の互いにろう付される面が向いている側に開口している。
【００７０】
そして、プレス加工品(126)を、連結部(124)において折り曲げ溝(125)に沿って外方膨出部(121)の開口が右端部材(85)により閉鎖されるように折り曲げた後、右端部材(85)の上側の係合爪形成片(102A)を左右方向外方に屈曲させるとともに下方に屈曲させて係合爪(102)を形成して切り欠き(113)内に嵌め入れ、さらに下側の係合爪形成片(103A)を左右方向外方に屈曲させるとともに上方に屈曲させて係合爪(103)を形成して切り欠き(113)内に嵌め入れる。こうして、右端部材(85)と連通部材(120)とが組み合わされる（図１６参照）。
【００７１】
上記実施形態および変形例においては、右端部材(85)と連通部材(86)(120)とを連結一体化する連結部(109)(124)の外面に折り曲げ溝(111)(125)が形成されているが、この折り曲げ溝(111)(125)は必ずしも必要としない。
【００７２】
上記実施形態においては、冷媒入出用ヘッダタンク(2)が上、冷媒ターン用ヘッダタンク(3)が下となっているが、これとは逆に、冷媒入出用ヘッダタンク(2)が下、冷媒ターン用ヘッダタンク(3)が上にくるように用いられる場合がある。また、上記実施形態においては、両ヘッダタンク(2)(3)の冷媒入口ヘッダ部(5)と第１中間ヘッダ部(11)との間、および冷媒出口ヘッダ部(6)と第２中間ヘッダ部(12)との間にそれぞれ１つの熱交換管群(16)が設けられているが、これに限るものではなく、両ヘッダタンク(2)(3)の冷媒入口ヘッダ部(5)と第１中間ヘッダ部(11)との間、および冷媒出口ヘッダ部(6)と第２中間ヘッダ部(12)との間にそれぞれ１または２以上の熱交換管群(16)が設けられていてもよい。
【００７３】
さらに、上記実施形態においては、この発明による熱交換器が、フロン系冷媒を使用するカーエアコンのエバポレータに適用されているが、これに限定されるものではなく、コンプレッサ、冷媒冷却器としてのガスクーラ、中間熱交換器、膨張弁およびエバポレータを有しかつＣＯ２冷媒のような超臨界冷媒を使用するカーエアコンを備えた車両、たとえば自動車において、カーエアコンのエバポレータに適用されることがある。
【図面の簡単な説明】
【００７４】
【図１】この発明による熱交換器を適用したエバポレータの全体構成を示す一部切り欠き斜視図である。
【図２】図１に示すエバポレータを後方から見た際の中間部を省略した垂直断面図である。
【図３】一部を省略した図２のＡ−Ａ線拡大断面図である。
【図４】エバポレータの冷媒入出用ヘッダタンクの部分の分解斜視図である。
【図５】図２のＢ−Ｂ線断面図である。
【図６】エバポレータの冷媒ターン用ヘッダタンクの右端部とジョイントプレートとを示す分解斜視図である。
【図７】一部を切り欠いた図２のＣ−Ｃ線断面図である。
【図８】エバポレータの冷媒ターン用ヘッダタンクの右端部を右方から見た部分拡大側面図である。
【図９】図８のＤ−Ｄ線断面図である。
【図１０】エバポレータの冷媒ターン用ヘッダタンクの右端部材および連通部材を組み合わせるためのプレス加工品を示す斜視図である。
【図１１】図１０のＥ−Ｅ線断面図である。
【図１２】エバポレータの冷媒ターン用ヘッダタンクの右端部材および連通部材を組み合わせた状態を示す斜視図である。
【図１３】冷媒ターン用ヘッダタンクの連通部材の変形例を示す図８相当の図である。
【図１４】図１３のＦ−Ｆ線断面図である。
【図１５】エバポレータの冷媒ターン用ヘッダタンクの右端部材および変形例の連通部材を組み合わせるためのプレス加工品を示す斜視図である。
【図１６】エバポレータの冷媒ターン用ヘッダタンクの右端部材および変形例の連通部材を組み合わせた状態を示す斜視図である。
【符号の説明】
【００７５】
(1)：エバポレータ（熱交換器）
(2)：冷媒入出用ヘッダタンク（第１ヘッダタンク）
(3)：冷媒ターン用ヘッダタンク（第２ヘッダタンク）
(4)：熱交換コア部
(5)：冷媒入口ヘッダ部
(6)：冷媒出口ヘッダ部
(11)：第１中間ヘッダ部
(12)：第２中間ヘッダ部
(15)：熱交換管
(16)：熱交換管群
(84)：左端部材
(84a)(84b)：キャップ
(85)：右端部材
(85a)(85b)：キャップ
(86)(120)：連通部材
(88)(89)：中間ヘッダ部本体
(99)：平板状部
(104)：冷媒流出口
(105)：冷媒流入口
(107)(121)：外方膨出部
(107a)：周壁部
(108)：連通路
(109)(124)：連結部
(111)(125)：折り曲げ溝
(112)(122)：平板状部
(114)(126)：プレス加工品
【図１】
2008309352.tif 000003
【図２】
2008309352.tif 000004
【図３】
2008309352.tif 000005
【図４】
2008309352.tif 000006
【図５】
2008309352.tif 000007
【図６】
2008309352.tif 000008
【図７】
2008309352.tif 000009
【図８】
2008309352.tif 000010
【図９】
2008309352.tif 000011
【図１０】
2008309352.tif 000012
【図１１】
2008309352.tif 000013
【図１２】
2008309352.tif 000014
【図１３】
2008309352.tif 000015
【図１４】
2008309352.tif 000016
【図１５】
2008309352.tif 000017
【図１６】
2008309352.tif 000018